(57)【要約】【課題】持ち運びに便利な防災用具及び非常用便座を提供すること。さらには、各種の防災用品が収納可能で、普段は人目につく場所に置いておけるようにした防災用具を提供すること。【解決手段】この発明の防災用具及は、略Ｃ字状の第１半体１と第２半体２とを結合して略ドーナツ形状となるようにしており、さらに、第１半体１と第２半体２をそれぞれ折り畳み可能とした非常用便座３と、上方に開口した容器４とを備え、前記非常用便座３は容器４の開口部に着脱可能であるとともに、第１半体１と第２半体２に分離し、折り畳んで他の防災用品とともに容器４内に収容可能にしたものとしている。【選択図】図７
2008289625.tif 000002
【特許請求の範囲】
【請求項１】
略Ｃ字状の第１半体（１）と第２半体（２）とを結合して略ドーナツ形状となるようにしており、さらに、第１半体（１）と第２半体（２）をそれぞれ折り畳み可能とした非常用便座（３）と、上方に開口した容器（４）とを備え、前記非常用便座（３）は容器（４）の開口部に着脱可能であるとともに、第１半体（１）と第２半体（２）に分離し、折り畳んで他の防災用品とともに容器（４）内に収容可能となっていることを特徴とする防災用具。
【請求項２】
容器（４）の開口部に取り付けられる蓋（９）を備え、前記蓋（９）の上には造花（１０）を設けており、さらに、造花（１０）の茎、枝、葉又は花の部分に地震センサー（１１）を取り付けている請求項２記載の防災用具。
【請求項３】
略Ｃ字状の第１半体（１）と第２半体（２）とを結合して略ドーナツ形状となるようにしており、さらに、第１半体（１）と第２半体（２）をそれぞれ折り畳み可能としていることを特徴とする非常用便座。
【請求項４】
第１半体（１）と第２半体（２）の結合箇所は、一方に設けられた差込穴（５）に、他方に設けられた差込片（６）を差し込むことにより結合されるようにしたものである請求項３記載の非常用便座。
【請求項５】
第１半体（１）と第２半体（２）がそれぞれ中間で分割され、各分割された部分（１ａ）（１ｂ）（２ａ）（２ｂ）が蝶番（７）により連結されたものとしている請求項３又は４記載の非常用便座。
【発明の詳細な説明】
【技術分野】
【０００１】
この発明は、災害時等に使用できる防災用具及び非常用便座に関するものである。
【背景技術】
【０００２】
従来、地震等の災害時に使用される防災用具としては、特許文献１に記載のような非常用トイレキットがある。この非常用トイレキットは、箱型のキットＡに折り畳みトイレ椅子Ｄなどが格納されるようになっており、地面に設置した折り畳みトイレ椅子Ｄの上に多機能便座ａを被せられるようにしたものである。
【０００３】
この非常用トイレキットは、持ち運びが可能であり、災害時等において便利に使用できるが、前記多機能便座ａは嵩張るものであり、キットＡに収納することができないため、持ち運ぶには不便を強いられていた。
【０００４】
また、キットＡに収納されるのは、もっぱらトイレ用品のみであり、食料品、防寒具、その他各種の防災用品が収納されるようにしていないため、この非常用トイレキットのみでは、災害時の避難生活には対応できず、防災用具としては不十分であった。また、災害発生時にすぐに持ち出せるような、普段、人目につく場所に置いておけるように配慮されたものではなかった。
【特許文献１】特開２００３−２３０５０３
【発明の開示】
【発明が解決しようとする課題】
【０００５】
そこで、この発明は、持ち運びに便利な防災用具及び非常用便座を提供することを課題とする。さらには、各種の防災用品が収納可能で、普段は人目につく場所に置いておけるようにした防災用具を提供することを課題とする。
【課題を解決するための手段】
【０００６】
この発明の防災用具及は、略Ｃ字状の第１半体１と第２半体２とを結合して略ドーナツ形状となるようにしており、さらに、第１半体１と第２半体２をそれぞれ折り畳み可能とした非常用便座３と、上方に開口した容器４とを備え、前記非常用便座３は容器４の開口部に着脱可能であるとともに、第１半体１と第２半体２に分離し、折り畳んで他の防災用品とともに容器４内に収容可能にしたものとしている。
【０００７】
この防災用具及は、容器４の開口部に取り付けられる蓋９を備え、前記蓋９の上には造花１０を設けており、さらに、造花１０の茎、枝、葉又は花の部分に地震センサー１１を取り付けたものとすることができる。
【０００８】
また、非常用便座３の第１半体１と第２半体２の結合箇所は、一方に設けられた差込穴５に、他方に設けられた差込片６を差し込むことにより結合されるようにしたものとすることができる。
【０００９】
さらに、第１半体１と第２半体２がそれぞれ中間で分割され、各分割された部分１ａ，１ｂ，２ａ，２ｂが蝶番７により連結されたものとすることができる。
【発明の効果】
【００１０】
この発明の防災用具及び非常用便座３は、上述のような構成を有しており、非常用便座３を折り畳んでコンパクトにすることができ、そして、折り畳んだ非常用便座３を他の防災用品とともに容器４内に収容できるので、持ち運びに便利である。
【００１１】
また、容器４の開口部に取り付けられる蓋９を備え、前記蓋９の上には造花１０を設けており、さらに、造花１０の茎、枝、葉又は花の部分に地震センサー１１を取り付けたものとすれば、災害発生時にすぐに持ち出せるような、普段は人目につく場所に置いておくことができ、また、地震の発生を地震センサー１１が感知することにより、非難行動に役立てることができる。
【発明を実施するための最良の形態】
【００１２】
以下、この発明の好適な実施形態を、図面を参照して説明する。
【００１３】
図１はこの発明の実施形態の防災用具の斜視図、図２は防災用品を収容した状態の容器４の斜視図、図３は折り畳んだ状態の非常用便座３の第１半体１と第２半体２の斜視図、図４は非常用便座３の第１半体１と第２半体２の斜視図、図５は非常用便座３（結合状態）の斜視図、図６は非常用便座３の裏面を上にした場合の斜視図、図７は非常用便座３を容器４に取り付けた場合の斜視図、図８は非常用便座３を容器４に取り付けた場合の断面図、図９は２つの容器４を上下に配置した場合の斜視図である。
【００１４】
この防災用具は、略Ｃ字状の第１半体１と第２半体２とを結合して略ドーナツ形状となるようにしており、さらに、第１半体１と第２半体２をそれぞれ折り畳み可能とした非常用便座３と、上方に開口した容器４とを備え、前記非常用便座３は容器４の開口部に着脱可能であるとともに、第１半体１と第２半体２に分離し、折り畳んで他の防災用品とともに容器４内に収容可能なものとしている。
【００１５】
非常用便座３は、木材、プラスチック、金属等適宜の素材からなるものとすることができる。非常用便座３の第１半体１と第２半体２は、それぞれドーナツ状の板を半分に分割したような形状であり、それらの結合箇所は、一方に設けられた差込穴５に、他方に設けられた差込片６を差し込むことにより結合されるようにしたものとしている。
【００１６】
具体的には、図４等に表れているように、第１半体１の両端部に差込穴５を設け、第２半体２の両端部に差込片６を突出するように設けたものとすることができる。差込片６の形状は、しっかりと結合状態が維持されるように、差込穴５に嵌合する形状であって、さらに、安全に使用できるように、先端に丸みがある形状とするとよい。
【００１７】
なお、第１半体１と第２半体２とは、同一ないし対称な形状とする必要はなく、また、それぞれ角張った形状であってもよい。
【００１８】
第１半体１と第２半体２の各分割された部分１ａ，１ｂ，２ａ，２ｂは、蝶番７により連結されたものとしている。第１半体１と第２半体２は、いずれも両端間の略中央で、周の半径方向に沿って分割されており、分割された各部分１ａ，１ｂ，２ａ，２ｂがそれぞれ全体の４分の１程度の大きさとなる。そして、図３に表れているように、第１半体１と第２半体２は、それぞれ２つ折り状に折り畳むことにより、コンパクトにすることができる。
【００１９】
また、非常用便座３には、容器４の開口部に固定するための固定部８が設けられている。固定部８は、非常用便座３の裏面に設けられた凸状部分であり、容器４の開口部の縁の外周に当接するようになっている。固定部８は、適宜間隔で複数個設けるとよい。例えば、図６に表れているように、第１半体１と第２半体２の分割された各部分１ａ，１ｂ，２ａ，２ｂに、それぞれ少なくとも１つの固定部８が設けられたものとするとよい。
【００２０】
容器４は、円形の底部と、上方に向かって拡径する略円筒状の周壁を有するものとしている。この容器４は、市販されているプラスチック製のバケツをそのまま利用することができる。
【００２１】
容器４の内部には、図２に示したように、前記折り畳んだ状態にした非常用便座３の第１半体１と第２半体２の他、非常用の食品、飲料ボトル、ナイフ、ロープ、ブルーシート、粘着テープ、手袋、カイロ、懐中電灯、ろうそく、薬品、救急用具、筆記用具、水分吸収材等、様々な防災用品を収容することができる。
【００２２】
また、この防災用具は、容器４の開口部に取り付けられる蓋９を備え、前記蓋９の上には造花１０を設けており、前記蓋９の上方において造花１０の茎、枝、葉又は花の部分に地震センサー１１を取り付けたものとしている。この構成により、防災用具は、装飾品として利用できるので、普段は人目につく場所に置いておいても不自然さがなく、下駄箱の上や、居間、台所その他各種の部屋に自由に設置し、災害発生時にすぐに持ち出すことができる。
【００２３】
蓋９は、容器４の開口部の内側面に嵌合するようにした円板状であり、対向する一対の切り欠け部１２が縁部に設けられ、着脱する際に手で持ちやすくなっている。蓋９の上面には、造花１０の茎の下端部が固定されており、また、導線を介して地震センサー１１に接続された制御用電子回路や電源を内蔵したボックス１３が取り付けられている。
【００２４】
前記ボックス１３は、地震センサー１１が揺れを検知したときに警報音を発するようにしたスピーカーや、警報音を止めるためのスイッチを設けたものとすることができる。さらに、造花１０の茎、枝、葉又は花の部分に発光ダイオード等の発光体を取り付け、地震センサー１１が揺れを検知したときに発光させるようにしてもよい。このように、地震発生時に音や光を発せられるようにすれば、停電がおきて暗くなった場合でも、容易にこの防災用具を見つけることができる。
【００２５】
造花１０は、地震の際に比較的大きく揺れるため、地震センサー１１は地震を敏感に感知することができる。そのため、この防災用具を設置しておくと、地震発生の初期の段階で地震が発生したことが周りの人にわかるため、迅速な避難行動が可能となる。造花１０への人との接触等、地震以外の揺れを感知してしまうことを防止するためには、例えば、ボックス１３に内蔵された制御用電子回路により、地震センサー１１が５秒間以上の揺れを検知した場合にのみ、警報音や発光が発せられるようにするとよい。
【００２６】
なお、造花１０は、高い位置にある部分ほど揺れやすくなるので、地震の揺れを鋭敏に感知させるようにするには、地震センサー１１を高い位置に取り付けるとよい。また、地震センサー１１が外に露出して見栄えが悪いと感じられる場合には、造花１０の花の内側や、葉に隠れる箇所に地震センサー１１を設けるとよい。
【００２７】
次に、この防災用具の非常用便座３の使用方法について説明する。
【００２８】
非難時等に用を足したくなった場合、まず容器４の蓋９を取り外し、容器４に収容されている非常用便座３の第１半体１と第２半体２、及びその他の防災用品を取り出す。容器４の内部には、水分吸収剤１４を適宜量入れておく。水分吸収剤１４は、従来の非常用トイレやオムツ等に利用されている高分子吸収ポリマーとすることができる。また、脱臭剤や芳香剤を加えてもよい。
【００２９】
そして、第１半体１と第２半体２とを結合して図５に示したような略ドーナツ形状の非常用便座３を完成させ、その裏面の固定部８を容器４の開口部の縁の外周に当接させて取り付ける。
【００３０】
この状態において、使用者は、非常用便座３に腰をかけて容器４内に排泄することができる。排泄物は、水分吸収剤１４により水分が吸収され、容易に処理することが可能となる。なお、非常用便座３の位置が低いために使用しづらい場合には、図９に示したように、容器４と同形状の別の容器４を、開口部を下にして置き、その上に非常用便座３を取り付けた容器４を載せて非常用便座３の位置を高くするとよい。下に置く容器４は、不使用時においては、上に載せる容器４をその内側に重ねた状態とすることにより、嵩高くならないようにすることができる。
【００３１】
なお、この防災用具及び非常用便座３は、上述の実施形態の構成に限定されるものではなく、素材、形状、寸法等を適宜変更して実施することができる。
【図面の簡単な説明】
【００３２】
【図１】この発明の実施形態の防災用具の斜視図である。
【図２】この発明の実施形態の防災用具の、防災用品を収容した状態の容器の斜視図である。
【図３】この発明の実施形態の折り畳んだ状態の非常用便座の第１半体と第２半体の斜視図である。
【図４】この発明の実施形態の非常用便座の第１半体と第２半体の斜視図である。
【図５】この発明の実施形態の非常用便座（結合状態）の斜視図である。
【図６】この発明の実施形態の非常用便座の裏面を上にした場合の斜視図である。
【図７】この発明の実施形態の防災用具の、非常用便座を容器に取り付けた場合の斜視図である。
【図８】この発明の実施形態の防災用具の、非常用便座を容器に取り付けた場合の断面図である。
【図９】この発明の実施形態の防災用具の、２つの容器を上下に配置した場合の斜視図である。
【符号の説明】
【００３３】
１  第１半体
１ａ，１ｂ  第１半体の分割された部分
２  第２半体
２ａ，２ｂ  第２半体の分割された部分
３  非常用便座
４  容器
５  差込穴
６  差込片
７  蝶番
９  蓋
１０  造花
１１  地震センサー
【図１】
2008289625.tif 000003
【図２】
2008289625.tif 000004
【図３】
2008289625.tif 000005
【図４】
2008289625.tif 000006
【図５】
2008289625.tif 000007
【図６】
2008289625.tif 000008
【図７】
2008289625.tif 000009
【図８】
2008289625.tif 000010
【図９】
2008289625.tif 000011